(57)【特許請求の範囲】
【請求項１】
スイッチング素子を高周波でオン／オフして全波整流電圧を昇圧する昇圧コンバータと、該昇圧コンバータのインダクタンスに併設された制御電源電圧生成用の巻き線と、前記昇圧コンバータの出力間に設けられた直流電圧検出手段と、放電灯に低周波の電力を供給する極性切換え回路の前段に設けられた放電灯電圧検出手段と、放電灯電流を検出する放電灯電流検出手段とを有する放電灯点灯装置において、
前記制御電源電圧生成用の巻き線に発生した電圧から所定の制御電源電圧を生成する制御電源電圧生成回路と、
前記放電灯電圧検出手段により検出された放電灯電圧または前記放電灯電流検出手段により検出された放電灯電流が所定範囲から外れた場合に、放電灯を消灯させるとともに、前記昇圧コンバータのスイッチング素子のオンデューティを、前記放電灯電圧または放電灯電流が所定範囲内の時のオンデューティより小さくする制御回路とを備え、
その小さくなったオンデューティによる前記昇圧コンバータのスイッチング素子のオン／オフによって、該昇圧コンバータから出力される電圧を前記直流電圧検出手段により放電させるとともに、前記制御電源電圧生成用の巻き線に電圧を発生させることを特徴とする放電灯点灯装置。
【請求項２】
スイッチング素子を高周波でオン／オフして全波整流電圧を昇圧する昇圧コンバータと、該昇圧コンバータにより昇圧された直流電圧が印加され、スイッチング素子を高周波でオン／オフして放電灯へ供給する電流を制限する降圧コンバータと、該降圧コンバータのインダクタンスに併設された制御電源電圧生成用の巻き線と、前記降圧コンバータの出力間に設けられた放電灯電圧検出手段と、放電灯電流を検出する放電灯電流検出手段とを有する放電灯点灯装置において、
前記制御電源電圧生成用の巻き線に発生した電圧から所定の制御電源電圧を生成する制御電源電圧生成回路と、
前記放電灯電圧検出手段により検出された放電灯電圧または前記放電灯電流検出手段により検出された放電灯電流が所定範囲から外れた場合に、放電灯を消灯させるとともに、前記降圧コンバータのスイッチング素子のオンデューティを、前記放電灯電圧または放電灯電流が所定範囲内の時のオンデューティより小さくする制御回路とを備え、
その小さくなったオンデューティによる前記降圧コンバータのスイッチング素子のオン／オフによって、該降圧コンバータから出力される電圧を前記放電灯電圧検出手段により放電させるとともに、前記制御電源電圧生成用の巻き線に電圧を発生させることを特徴とする放電灯点灯装置。
【発明の詳細な説明】
【０００１】
【発明の属する技術分野】
この発明は、インバータ回路により放電灯を点灯させる放電灯点灯装置に関するものである。
【０００２】
【従来の技術】
図３は、例えば特開平９−３２０７８２号公報に開示された従来の放電灯点灯装置の回路構成図である。
図において、２１は交流電源、２２はダイオードブリッジ、２３はインバータ回路、２４は放電灯、２５は抵抗、２６はツェナダイオード、２７はコンデンサ、２８はインバータ制御回路、２９はダイオード、３０は抵抗である。
【０００３】
次に、図３をもとに動作を説明する。
交流電源２１が投入されると、ダイオードブリッジ２２により全波整流された電圧が抵抗２５に印加される。この時抵抗２５に電流が流れ、ツェナダイオード２６の定電圧素子により、所定の電圧でコンデンサ２７を充電する。そして、前記コンデンサ２７に蓄えられた電荷をエネルギーとして、インバータ制御回路２８がインバータ回路２３を動作させて放電灯２４が点灯する。前記放電灯２４が点灯すると、前記インバータ回路２３内部に設けられた巻線（図示せず）から前記インバータ制御回路２８の動作に必要な電源が供給されインバータ制御回路２８は動作を続ける。
【０００４】
また、図４は特開平９−５５２９６号公報に開示された他の従来の放電灯点灯装置の回路構成図である。尚、図４において上記図３と同一又は相当部分には同一符号を付し説明を省略する。
３１は昇圧コンバータ、３２は昇圧用のインダクタンス、３３はコンデンサ、３４は電圧検出抵抗、３５は降圧コンバータ、３６は降圧用のインダクタンス、３７はコンデンサ、３８はスイッチング素子、３９は極性切換え回路、４０は高圧パルス発生回路である。
上記図３の放電灯点灯装置では、インバータ回路２３内部の巻き線からインバータ制御回路２８に必要な電源電圧を生成しているが、図４の昇圧コンバータ３１と降圧コンバータ３５とブリッジ回路２２等から構成される放電灯点灯装置では、前記昇圧用のインダクタンス３２、または降圧用のインダクダンス３６に制御電源電圧生成用の巻き線（図示せず）を追加して、昇圧用インダクダンス３２、または降圧用インダクダンス３６に高周波電流が流れる際に、前記制御電源電圧生成用の巻き線に発生する電圧で制御電源電圧を生成する方法がとられている。
【０００５】
【発明が解決しようとする課題】
上記図３の従来の放電灯点灯装置では、例えば放電灯２４の異常を検出して、インバータ回路２３を停止した場合でも、停止状態を保持するためには、インバータ制御回路２８が動作していなければならない。しかしながら、前記インバータ回路２３が停止してしまうと、該インバータ回路２３内部の巻き線からの前記インバータ制御回路２８への給電が停止するため、インバータ制御回路２８の電源を前記抵抗２５から給電しなければならない。
【０００６】
その際、例えば交流電源２１の電圧が２００Ｖで、インバータ制御回路２８の電源として１０Ｖ、２０ｍＡが必要な場合、前記抵抗２５でツェナダイオード２６の電圧近傍まで、ＡＣ２００Ｖの全波整流電圧を落とさなければならない。ＡＣ２００Ｖの全波整流電圧の平均電圧は、おおよそ１８０Ｖで、これをツェナダイオード２６の電圧１０Ｖまで落とすとすると、前記抵抗２５の両端で１８０−１０＝１７０Ｖ落とさなければならない。そして、抵抗２５には２０ｍＡの電流を流さなければならないので、この時の抵抗２５の値は、１７０Ｖ／２０ｍＡ＝８．５ＫΩとなり、消費電力は、３．４Ｗとなる。
【０００７】
前記抵抗２５に流れる電流が、電源投入直後の短時間であれば、抵抗２５に３．４Ｗよりも定格電力が小さな抵抗を使っても問題ないが、保護等でインバータ回路２３が停止している間、長時間にわたって抵抗２５から前記インバータ制御回路２８へ給電する場合は、信頼性等を考慮すると倍以上の定格電力容量の抵抗が必要となる。つまり、７Ｗの抵抗を使わなければならず、抵抗のサイズが大きくなり、ひいては点灯装置のザイズも大きくなるという問題があった。
【０００８】
また、上記図４の放電灯点灯装置では、昇圧コンバータ３１のインダクタンス３２、または降圧コンバータ３５のインダクタンス３６に流れる高周波電流を利用して、制御電源電圧を生成する方法においても、放電灯２４の異常を検出して放電灯２４を消灯させた場合は、制御電源電圧の生成が困難になるという問題がある。
【０００９】
つまり、図４の放電灯点灯装置では、昇圧コンバータ３１の昇圧用インダクタンス３２に制御電源生成用の巻き線を追加して、ここから制御電源を得ようとする場合は、異常時に放電灯２４への電流を遮断した場合、昇圧コンバータ３１から電流が流れなくなるので、コンデンサ３３の電圧が上昇する。コンデンサ３３の電圧が所定の電圧に到達すると昇圧コンバータ３１は停止してしまう。その後、コンデンサ３３の電圧は、電圧検出抵抗３４から徐々に放電して低下する。そして、所定の電圧まで低下すると、再び昇圧コンバータ３１が動作を開始するが、放電灯２４へ電流が流れないため、すぐにコンデンサ３３が所定の電圧まで充電されてしまい、昇圧コンバータ３１は再び停止する。このように、昇圧コンバータ３１が間欠的に動作するため、昇圧コンバータ３１が動作していないときの制御電源電圧の生成が困難となる。
【００１０】
また、図４の降圧コンバータ３５の降圧用インダクタンス３６に制御電源電圧生成用の巻き線を追加して、ここから制御電源電圧を得ようとする場合は、異常時に放電灯２４への電流を遮断した場合、降圧コンバータ３５から放電灯２４へ電流が流れなくなるので、制御電源回路２８は電流を流そうとして、スイッチング素子３８を最大オンデューティまで開く。しかし、コンデンサ３７の電圧が昇圧コンバータ３１の出力電圧まで充電されると、スイッチング素子３８を最大オンデューティで動作しても、降圧用インダクタンス３６には電流が流れなくなり、制御電源電圧の生成ができなくなる。その後、コンデンサ３７の自己放電等で電荷が放電して、コンデンサ３７の電圧が昇圧コンバータ３１の出力電圧よりも下がった時にだけ、降圧用インダクダンス３６に電流が流れ、制御電源電圧を生成するが、すぐにコンデンサ３７が充電されて、再び電流が流れなくなる。したがって、上記昇圧コンバータ３１の昇圧用インダクタンス３２に制御電源電圧生成用の巻き線を追加して、制御電源電圧を得ようとする場合と同様に、降圧コンバータ３５が間欠的に動作するので、降圧コンバータ３５が動作していないときの制御電源電圧の生成が困難となる。
【００１１】
本発明は上記の問題点を解消するためになされたもので、放電灯の異常を検出して放電灯への給電が停止した場合でも、抵抗から制御電源電圧を生成する必要がなく、また、コンバータを連続動作させることにより安定して制御電源電圧を確保することのできる放電灯点灯装置を得ることを目的とする。
【００１２】
【課題を解決するための手段】
本発明の請求項１に係る放電灯点灯装置は、スイッチング素子を高周波でオン／オフして全波整流電圧を昇圧する昇圧コンバータと、昇圧コンバータのインダクタンスに併設された制御電源電圧生成用の巻き線と、昇圧コンバータの出力間に設けられた直流電圧検出手段と、放電灯に低周波の電力を供給する極性切換え回路の前段に設けられた放電灯電圧検出手段と、放電灯電流を検出する放電灯電流検出手段とを有する放電灯点灯装置において、制御電源電圧生成用の巻き線に発生した電圧から所定の制御電源電圧を生成する制御電源電圧生成回路と、放電灯電圧検出手段により検出された放電灯電圧または放電灯電流検出手段により検出された放電灯電流が所定範囲から外れた場合に、放電灯を消灯させるとともに、昇圧コンバータのスイッチング素子のオンデューティを、放電灯電圧または放電灯電流が所定範囲内の時のオンデューティより小さくする制御回路とを備え、その小さくなったオンデューティによる昇圧コンバータのスイッチング素子のオン／オフによって、昇圧コンバータから出力される電圧を直流電圧検出手段により放電させるとともに、制御電源電圧生成用の巻き線に電圧を発生させるようにしたものである。
本発明の請求項２に係る放電灯点灯装置は、スイッチング素子を高周波でオン／オフして全波整流電圧を昇圧する昇圧コンバータと、昇圧コンバータにより昇圧された直流電圧が印加され、スイッチング素子を高周波でオン／オフして放電灯へ供給する電流を制限する降圧コンバータと、降圧コンバータのインダクタンスに併設された制御電源電圧生成用の巻き線と、降圧コンバータの出力間に設けられた放電灯電圧検出手段と、放電灯電流を検出する放電灯電流検出手段とを有する放電灯点灯装置において、制御電源電圧生成用の巻き線に発生した電圧から所定の制御電源電圧を生成する制御電源電圧生成回路と、放電灯電圧検出手段により検出された放電灯電圧または放電灯電流検出手段により検出された放電灯電流が所定範囲から外れた場合に、放電灯を消灯させるとともに、降圧コンバータのスイッチング素子のオンデューティを、放電灯電圧または放電灯電流が所定範囲内の時のオンデューティより小さくする制御回路とを備え、その小さくなったオンデューティによる降圧コンバータのスイッチング素子のオン／オフによって、降圧コンバータから出力される電圧を放電灯電圧検出手段により放電させるとともに、制御電源電圧生成用の巻き線に電圧を発生させるようにしたものである。
【００１３】
【発明の実施の形態】
実施の形態１．
図１は、この発明の実施の形態１における放電灯点灯装置の構成示すブロック図である。
図１において、１は商用交流電源、２は前記商用交流電源１を全波整流するダイオードブリッジ、３は前記ダイオードブリッジ２により全波整流された電圧を昇圧する昇圧コンバータで、互いに磁気的に結合された一次巻き線ｎ１と二次巻き線ｎ２からなるインダクタンス３ａ、ダイオード３ｂ、スイッチング素子３ｃ、コンデンサ３ｄで構成されている。４は放電灯７に流す電流を制御する降圧コンバータ、５は放電灯７に流れる電流の極性を変える極性切換え回路、6は放電灯７に流れる電流を検出する電流検出抵抗、８は高圧パルスを発生させて放電灯７を始動させる高圧パルス発生回路、９は制御電源電圧生成回路で、抵抗９ａ、ツェナダイオード９ｂ、ダイオード９ｃ、９ｄ、コンデンサ９ｅ、９ｇ、定電圧ＩＣ９ｆで構成されている。１０は前記昇圧コンバータ３により昇圧された直流電圧を検出する直流電圧検出回路、１１は制御回路、１２は放電灯電圧を検出する放電灯電圧検出回路、１３、１４は差動増幅器、１５は前記昇圧コンバータ３のスイッチング素子３ｃのオンデューティ制限回路である。
【００１４】
次に、図１をもとに動作を説明する。
商用交流電源１が投入されると、前記ダイオードブリッジ２で全波整流された電圧が、前記制御電源電圧生成回路９の抵抗９ａに印加されて抵抗９ａに電流が流れ、ツェナダイオード９ｂの定電圧素子により、所定の直流電圧でコンデンサ９ｇを充電する。そして前記コンデンサ９ｇに充電された充電エネルギーにより、前記制御回路１１が動作を開始する。
【００１５】
制御回路１１は、まず前記昇圧コンバータ３の動作を開始して、前記ダイオードブリッジ２で全波整流された電圧を昇圧し、さらに、この昇圧された直流電圧は、降圧コンバータ４を介して、極性切換え回路５にて交流に変換されて放電灯７に印加される。この状態で制御回路１１から高圧パルス発生回路８を駆動して、放電灯７を始動させる高圧パルスを印加して放電灯７を点灯させる。
【００１６】
放電灯７の点灯後、前記制御回路１１は、放電灯電圧検出回路１２から放電灯電圧を読込み、この電圧から放電灯７の電力が所定の電力となるような放電灯電流値を演算する。演算された電流値は、目標電流値として差動増幅器１３に出力される。そして差動増幅器１３では、前記電流検出抵抗６で検出した放電灯電流と前記制御回路１１からの目標電流値とを比較して、両者が一致するように前記降圧コンバータ４を動作させ放電灯７に流す電流を制御する。
【００１７】
ここで、昇圧コンバータ３の動作について詳しく説明する。
差動増幅器１４は、前記直流電圧検出回路１０で検出したコンデンサ３ｄの電圧が制御回路１１から与えられた目標電圧値と、かつ入力が高力率になるように、昇圧コンバータ３のスイッチング素子３ｃのスイッチング動作を行う。前記スイッチング素子３ｃがオンになると、インダクタンス３ａに電流が流れインダクタンス３ａの一次巻き線ｎ１にエネルギーが蓄積される。スイッチング素子３ｃがオフになると、インダクタンス３ａの一次巻き線ｎ１に蓄えられたエネルギーがダイオード３ｂを介してコンデンサ３ｄに充電される。
【００１８】
制御回路１１は、昇圧コンバータ３の出力電圧が所定の電圧となるような目標電圧値を前記差動増幅器１４に出力する。差動増幅器１４は、前記制御回路１１からの目標電圧値と前記直流電圧検出回路１０で検出した昇圧コンバータ３の出力電圧を比較して、昇圧コンバータ３の出力電圧が目標電圧値となるように前記スイッチング素子３ｃのオンデューティを決定する。そして、オンデューティ制限回路１５では、スイッチング素子３ｃに過大電流が流れるのを防止するために、前記差動増幅器１４にて決定されたスイッチング素子３ｃのオンデューティが制御回路１１から与えられた所定値以上にならないように制限する。
オンデューティ制限回路１５はスイッチング素子３ｃに過大電流が流れるのを防止する保護回路なので、通常の放電灯７が安定点灯している時、前記差動増幅器１４で決定されるオンデューティ値よりも十分大きい値に設定されており、差動増幅器１４にて決定されたオンデューティがオンデューティ制限回路１５により制限されることはない。
【００１９】
一方、前記インダクタンス３ａには、制御電源用の二次巻き線ｎ２が設けられており、インダクタンス３ａの一次巻き線ｎ１と二次巻き線ｎ２とでトランスが構成されるので、一次巻き線ｎ１に電流が流れると二次巻き線ｎ２に電圧が発生する。この電圧を前記制御電源電圧生成回路９のダイオード９ｄとコンデンサ９ｅで平滑して、定電圧ＩＣ９ｆで所定電圧の制御電源電圧を生成する。前記定電圧ＩＣ９ｆで生成される制御電源電圧は、前記抵抗９ａで生成される制御電源電圧より若干高くなるようにしてあるので、前記定電圧ＩＣ９ｆから制御電源電圧が供給されるようになると、前記抵抗９ａには電流が流れなくなる。
【００２０】
すなわち、電源投入時、昇圧コンバータ３が動作していないときは、前記制御回路１１の制御電源電圧は前記抵抗９ａを介して供給されるが、昇圧コンバータ３が動作を開始すると、前記二次巻き線ｎ２から供給されることになる。
【００２１】
そして、前記放電灯電圧検出回路１２から検出される放電灯電圧、または、前記電流検出抵抗６から検出される放電灯電流が、所定の範囲から外れた場合、制御回路１１は、放電灯７が異常であると判定して、前記極性切換え回路５の動作を停止して、放電灯７への電力の供給を停止させて放電灯７を消灯させる。この時、制御回路１１は、前記オンデューティ制限回路１５に与える制限値を、通常の放電灯点灯時の前記放電灯電圧検出回路１２から検出される放電灯電圧、または、前記電流検出抵抗６から検出される放電灯電流が所定範囲内の時の値よりも小さい値にする。
【００２２】
これにより、放電灯の異常が検出され放電灯を消灯させたとき、差動増幅器１４で決定されたオンデューティは、オンデューティ制限回路１５にて制御回路１１から与えられた制限値によって制限されるので、スイッチング素子３ｃのオンデューティは小さくなる。これにより、スイッチング素子３ｃが一回のスイッチングでコンデンサ３ｄに充電するエネルギーは小さくなり、制御回路１１からの目標電圧値に充電するためには、多くのスイッチング回数を必要とする。コンデンサ３ｄに充電された電圧は、直流電圧検出回路１０の抵抗を介して徐々に放電されるので、オンデューティを小さく制限することにより、インダクタンス３ａの一次巻き線ｎ１に蓄えられたエネルギーがコンデンサ３ｄに充電される速度は、コンデンサ３ｄの充電されたエネルギーが前記直流電圧検出回路１０の抵抗を介して放電される速度より小さくなり、昇圧コンバータ３は連続的に動作することになる。この結果、前記インダクタンス３ａには連続的に高周波電流が流れるので、二次巻き線ｎ２にも連続的に高周波電圧が発生し、前述の制御電源電圧生成回路９の動作により制御電源電圧が確保される。
【００２３】
実施の形態２．
図２は、この発明の実施の形態２における放電灯点灯装置の構成を示すブロック図である。尚、図２において上記実施の形態１に示す構成と同一または相当部分には同一符号を付し説明を省略する。
図２において、３´は前記ダイオードブリッジ２により全波整流された電圧を昇圧する昇圧コンバータ、４´は放電灯７に流す電流を制御する降圧コンバータで、互いに磁気的に結合された一次巻き線ｎ１と二次巻き線ｎ２からなるインダクタンス４ａ、ダイオード４ｂ、スイッチング素子４ｃ、コンデンサ４ｄで構成されている。１５´は前記降圧コンバータ４´のスイッチング素子４ｃのオンデューティ制限回路である。
上記実施の形態１においては、昇圧コンバータ３のインダクタンス３ａに制御電源電圧生成用の二次巻き線ｎ２を設けたが、本実施の形態においては、降圧コンバータ４´のインダクタンス４ａに制御電源電圧生成用の二次巻き線ｎ２を設けるようにしたものである。
【００２４】
基本的な動作は、上記実施の形態１と同様であるのでここでの説明を省略し、主に降圧コンバータ４´の動作について説明する。
前記降圧コンバータ４´のスイッチング素子４ｃを高周波でオン／オフすると、スイッチング素子４ｃがオンの期間、前記昇圧コンバータ３´からスイッチング素子４ｃに電流が流れる。スイッチング素子４ｃへ流れた電流は、ダイオード４ｂとインダクタンス４ａの一次巻き線ｎ１とコンデンサ４ｄで平滑されて、放電灯７へ供給される。スイッチング素子４ｃのオンデューティを大きくすると放電灯７に供給される電流は多くなり、オンデューティを小さくすると放電灯７に供給される電流は少なくなる。
【００２５】
制御回路１１は、放電灯電圧検出回路１２から放電灯電圧を読込み、この電圧から放電灯７の電力が所定の電力となるような放電灯電流値を演算する。演算された電流値は、目標電流値として差動増幅器１３に出力される。そして、差動増幅器１３では、前記制御回路１１からの目標電流値と前記電流検出抵抗６で検出した放電灯電流とを比較して、放電灯電流が目標電流となるように前記スイッチング素子４ｃのオンデューティを決定する。
【００２６】
そして、オンデューティ制限回路１５´では、スイッチング素子４ｃに過大電流が流れるのを防止するために、前記差動増幅器１３にて決定されたスイッチング素子４ｃのオンデューティが制御回路１１から与えられた所定値以上にならないように制限する。
オンデューティ制限回路１５´は、スイッチング素子４ｃに過大電流が流れるのを防止する保護回路なので、通常の放電灯７が安定点灯している時、差動増幅器１３で決定されるオンデューティ値よりも十分大きい値に設定されており、差動増幅器１３にて決定されたオンデューティがオンデューティ制限回路１５´により制限されることはない。
【００２７】
一方、前記降圧コンバータ４´のインダクタンス４ａには、制御電源電圧生成用の二次巻き線ｎ２が設けられており、インダクタンス４ａの一次巻き線ｎ１と二次巻き線ｎ２とでトランスが構成されるので、前記一次巻き線ｎ１に電流が流れると二次巻き線ｎ２に電圧が発生する。この電圧を前記制御電源電圧生成回路９のダイオード９ｄとコンデンサ９ｅで平滑して、定電圧ＩＣ９ｆで所定電圧の制御電源電圧を生成する。前記定電圧ＩＣ９ｆで生成される制御電源電圧は、上記実施の形態１同様に抵抗９ａで生成される制御電源電圧より若干高くなるようにしてあるので、前記定電圧ＩＣ９ｆから制御電源が供給されるようになると、前記抵抗９ａには電流が流れなくなる。
【００２８】
すなわち、電源投入時、前記制御回路１１の制御電源電圧は前記抵抗９ａを介して供給されるが、降圧コンバータ４´が動作を開始すると、上記実施の形態１同様に前記二次巻き線ｎ２から供給される。
【００２９】
そして、前記放電灯電圧検出回路１２から検出される放電灯電圧、または、電流検出抵抗６から検出される放電灯電流が、所定の範囲から外れた場合、制御回路１１は、放電灯７が異常であると判定して、前記極性切換え回路５の動作を停止して、放電灯７への電力の供給を停止させて放電灯７を消灯させる。
この時、制御回路１１は、前記オンデューティ制限回路１５´に与える制限値を、通常の放電灯点灯時の前記放電灯電圧検出回路１２から検出される放電灯電圧、または、電流検出抵抗６から検出される放電灯電流が所定範囲内の時の値よりも小さい値にする。
【００３０】
これにより、放電灯の異常が検出され放電灯を消灯させたとき、差動増幅器１３で決定されたオンデューティは、オンデューティ制限回路１５´にて制御回路１１から与えられた制限値によって制限されるので、スイッチング素子４ｃのオンデューティは小さくなる。これにより、スイッチング素子４ｃが一回のスイッチングで出力するエネルギーは小さくなる。すなわち、スイッチング素子４ｃとインダクタンス４ａの一次巻き線ｎ１を介してコンデンサ４ｄを充電する速度は、コンデンサ４ｄの充電された電荷が放電灯電圧検出回路１２の抵抗を介して放電される速度よりも遅くなり、コンデンサ４ｄの電圧は、昇圧コンバータ３´の出力電圧よりも常に低くなり、降圧コンバータ４´は連続的に動作する。この結果、インダクタンス４ａには連続的に高周波電流が流れるので、二次巻き線ｎ２にも連続的に高周波電圧が発生し、前述の制御電源電圧生成回路９の動作により上記実施の形態１同様に制御電源電圧が確保される。
【００３１】
【発明の効果】
本発明の請求項１に係る放電灯点灯装置によれば、放電灯電圧または放電灯電流が所定範囲から外れた場合に、放電灯を消灯させるとともに、昇圧コンバータのスイッチング素子のオンデューティを、放電灯電圧または放電灯電流が所定範囲内の時のオンデューティより小さくして、そのオンデューティによるスイッチング素子のオン／オフによって、昇圧コンバータから出力される電圧を直流電圧検出手段により放電させるとともに、制御電源電圧生成用の巻き線に電圧を発生させるようにしたので、放電灯を消灯させた無負荷時でも制御電源電圧を安定して確保することのできる放電灯点灯装置を得ることができる。また、従来のように抵抗から制御電源を生成する必要がなく、抵抗の容量も比較的小さくすることが可能で、装置をコンパクトにすることができる。
また、本発明の請求項２に係る放電灯点灯装置によれば、放電灯電圧または放電灯電流が所定範囲から外れた場合に、放電灯を消灯させるとともに、降圧コンバータのスイッチング素子のオンデューティを、放電灯電圧または放電灯電流が所定範囲内の時のオンデューティより小さくして、そのオンデューティによるスイッチング素子のオン／オフによって、降圧コンバータから出力される電圧を放電灯電圧検出手段により放電させるとともに、制御電源電圧生成用の巻き線に電圧を発生させるようにしたので、放電灯を消灯させた無負荷時でも制御電源電圧を安定して確保することのできる放電灯点灯装置を得ることができる。また、従来のように抵抗から制御電源を生成する必要がなく、抵抗の容量も比較的小さくすることが可能で、装置をコンパクトにすることができる。
【図面の簡単な説明】
【図１】  この発明の実施の形態１における放電灯点灯装置の構成を示すブロック図である。
【図２】  この発明の実施の形態２における放電灯点灯装置の構成を示すブロック図である。
【図３】  従来の放電灯点灯装置の構成を示すブロック図である。
【図４】  従来の他の放電灯点灯装置の構成を示すブロック図である。
【符号の説明】
１  商用交流電源、  ２  ダイオードブリッジ、  ３、３´  昇圧コンバータ、  ４、４´  降圧コンバータ、  ５  極性切換え回路、  ６  電流検出抵抗、７  放電灯、  ８  高圧パルス発生回路、  ９  制御電源電圧生成回路、  １０  直流電圧検出回路、  １１  制御回路、  １２  放電灯電圧検出回路、  １３、１４  差動増幅器、  １５、１５´  オンデューティ制限回路。
【図１】
0004211022.tif 000002
【図２】
0004211022.tif 000003
【図３】
0004211022.tif 000004
【図４】
0004211022.tif 000005